Podtech/llm-jp-corpus-v4-ja_patent huggingface dataset:
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
インクを吐出する吐出口を備えるインクジェット記録ヘッドの製造方法であって、
インクを吐出するために利用される圧力を発生する複数の素子が形成されたシリコンウエハーを用意する工程と、
前記シリコンウエハー上に部材を形成し、前記部材をパターニングすることで吐出口を形成する工程と、
前記シリコンウエハーをエッチングにより切断し、複数の記録素子基板を形成する工程と、
支持部材上に前記複数の記録素子基板を配置する工程と、
を有することを特徴とするインクジェット記録ヘッドの製造方法。
【請求項２】
前記記録素子基板の側面の少なくとも一部をエッチングにより形成する、請求項１に記載のインクジェット記録ヘッドの製造方法。
【請求項３】
前記記録素子基板のエッチングにより形成された側面部が対向するように、前記支持基板上に複数の記録素子基板を配置する、請求項２に記載のインクジェット記録ヘッドの製造方法。
【請求項４】
前記シリコンウエハーの切断は、ドライエッチングにより切断する、請求項１から３のいずれか１項に記載のインクジェット記録ヘッドの製造方法。
【請求項５】
ドライエッチングにより形成された面同士が略平行に対向するように複数の記録素子基板を前記支持部材上に配置する、請求項４に記載のインクジェット記録ヘッドの製造方法。
【請求項６】
インクを吐出する吐出口を備えるインクジェット記録ヘッドの製造方法であって、
インクを吐出するために利用される圧力を発生する複数の素子が形成されたシリコンウエハーを用意する工程と、
前記シリコンウエハー上に部材を形成し、前記部材をパターニングすることで吐出口を形成する工程と、
前記シリコンウエハーをエッチングにより複数の開口部を形成する工程と、
前記シリコンウエハーの複数の前記開口部の間をダイシングにより切断し、複数の記録素子基板を形成する工程と、
支持部材上に複数の前記記録素子基板を配置する工程と、
を有することを特徴とするインクジェット記録ヘッドの製造方法。
【請求項７】
前記記録素子基板の側面の少なくとも一部をエッチングにより形成する、請求項６に記載のインクジェット記録ヘッドの製造方法。
【請求項８】
前記記録素子基板のエッチングにより形成された側面部が近接するように、前記支持基板上に複数の記録素子基板を配置する、請求項７に記載のインクジェット記録ヘッドの製造方法。
【請求項９】
前記複数の開口部はドライエッチングによって形成する、請求項６に記載のインクジェット記録ヘッドの製造方法。
【請求項１０】
ドライエッチングにより形成された面同士が略平行に対向するように複数の記録素子基板を前記支持部材上に配置する、請求項９に記載のインクジェット記録ヘッドの製造方法。
【手続補正２】
【補正対象書類名】明細書
【補正対象項目名】発明の名称
【補正方法】変更
【補正の内容】
【発明の名称】インクジェット記録ヘッドの製造方法
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の一態様のインクジェット記録ヘッドの製造方法は、インクを吐出する吐出口を備えるインクジェット記録ヘッドの製造方法であって、インクを吐出するために利用される圧力を発生する複数の素子が形成されたシリコンウエハーを用意する工程と、シリコンウエハー上に部材を形成し、部材をパターニングすることで吐出口を形成する工程と、シリコンウエハーをエッチングにより切断し、複数の記録素子基板を形成する工程と、支持部材上に複数の記録素子基板を配置する工程と、を有する。また、本発明の他の態様のインクジェット記録ヘッドの製造方法は、インクを吐出する吐出口を備えるインクジェット記録ヘッドの製造方法であって、インクを吐出するために利用される圧力を発生する複数の素子が形成されたシリコンウエハーを用意する工程と、シリコンウエハー上に部材を形成し、部材をパターニングすることで吐出口を形成する工程と、シリコンウエハーをエッチングにより複数の開口部を形成する工程と、シリコンウエハーの複数の開口部の間をダイシングにより切断し、複数の記録素子基板を形成する工程と、支持部材上に複数の記録素子基板を配置する工程と、を有する。
【手続補正６】
【補正対象書類名】明細書
【補正対象項目名】００１０
【補正方法】削除
【補正の内容】
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
体内に挿入され、入射された照射光を導光して前記体内の被観察部に照射するとともに、該被観察部への前記照射光の照射によって前記被観察部から発せられた光を受光して導光する硬性鏡本体と、該硬性鏡本体に接続され、前記被観察部から発せられて前記硬性鏡本体によって導光された光を受光して画像信号を出力する撮像部を有するカメラヘッド部とを備えた硬性鏡装置において、
前記カメラヘッド部が、前記照射光を出射する照射光出射部を備え、
前記硬性鏡本体が、前記照射光出射部から出射された前記照射光を受光して導光するものであることを特徴とする硬性鏡装置。
【請求項２】
前記照射光出射部が、前記照射光を導光して出射する光ファイバ、または前記照射光を発する蛍光体および該蛍光体に照射される励起光を導光する光ファイバを備えたものであることを特徴とする請求項１記載の硬性鏡装置。
【請求項３】
前記硬性鏡本体と前記カメラヘッド部とが接続されているか否かを検出する硬性鏡接続検出部を備え、
前記照射光出射部が、前記硬性鏡接続検出部によって前記硬性鏡本体と前記カメラヘッド部との接続が検出されている間に前記照射光を出射するものであり、前記硬性鏡本体と前記カメラヘッド部との接続が検出されていない間は前記照射光を出射しないものであることを特徴とする請求項１または２項記載の硬性鏡装置。
【請求項４】
前記カメラヘッド部に入射される光を出射する光源装置と前記カメラヘッド部とが接続されているか否かを検出するカメラヘッド接続検出部を備え、
前記照射光出射部が、前記硬性鏡接続検出部によって前記硬性鏡本体と前記カメラヘッド部との接続が検出され、かつ前記カメラヘッド接続検出部によって前記カメラヘッド部と前記光源装置との接続が検出されている間に前記照射光を出射するものであり、前記硬性鏡本体と前記カメラヘッド部との接続または前記カメラヘッド部と前記光源装置との接続が検出されていない間は前記照射光を出射しないものであることを特徴とする請求項３記載の硬性鏡装置。
【請求項５】
前記硬性鏡本体側および前記カメラヘッド部側の少なくとも一方に対して、前記照射光出射部から出射された前記照射光が前記カメラヘッド部の前記撮像部に入射するのを妨げる遮光部が設けられていることを特徴とする請求項１から４いずれか１項記載の硬性鏡装置。
【請求項６】
前記照射光出射部が、互いに波長帯域の異なる複数の照射光を出射するものであることを特徴とする請求項１から５いずれか１項記載の硬性鏡装置。
【請求項７】
前記複数の照射光のうちの１つが白色光であることを特徴とする請求項６記載の硬性鏡装置。
【請求項８】
前記複数の照射光のうちの１つが近赤外光または前記被観察部からの自家蛍光を励起する自家蛍光励起光であることを特徴とする請求項６または７記載の硬性鏡装置。
【請求項９】
前記硬性鏡本体が、前記複数の照射光が混合された光を受光する受光部を備えたものであることを特徴とする請求項７から８いずれか１項記載の硬性鏡装置。
【請求項１０】
前記硬性鏡本体が、前記複数の照射光をそれぞれ別々に受光する複数の特定波長用受光部を備えたものであることを特徴とする請求項６から８いずれか１項記載の硬性鏡装置。
【請求項１１】
前記複数の特定波長用受光部が、前記硬性鏡本体の前記カメラヘッド部との接続面の中心位置から互いに異なる半径の位置に設けられていることを特徴とする請求項１０記載の硬性鏡装置。
【請求項１２】
前記複数の特定波長用受光部が、前記中心位置から同心円状に設けられていることを特徴とする請求項１１記載の硬性鏡装置。
【請求項１３】
前記照射光出射部に対して前記照射光を拡散する拡散部が設けられていることを特徴とする請求項１から１２いずれか１項記載の硬性鏡装置。
【請求項１４】
前記照射光出射部の出射面の近傍の屈折率または前記硬性鏡本体の前記照射光の受光面の近傍の屈折率と略同等の屈折率を有し、前記照射光出射部から出射された照射光を透過する透過部材が、前記出射面と前記受光面との間に設けられていることを特徴とする請求項１から１３いずれか１項記載の硬性鏡装置。
【請求項１５】
前記透過部材が、弾力性を有するものであることを特徴とする請求項１４載の硬性鏡装置。
【請求項１６】
前記透過部材が、樹脂から形成されるものであることを特徴とする請求項１４または１５記載の硬性鏡装置。
【請求項１７】
前記透過部材が、前記カメラヘッド部または前記硬性鏡本体に対して着脱可能に設けられるものであることを特徴とする請求項１４から１６いずれか１項記載の硬性鏡装置。
【請求項１８】
前記照射光出射部の前記照射光の出射面と前記硬性鏡本体の前記照射光の受光面との間に前記出射面の近傍の屈折率または前記受光面の近傍の屈折率と略同等な屈折率を有する液体またはジェルを供給する供給部材が設けられていることを特徴とする請求項１から１３いずれか１項記載の硬性鏡装置。
【請求項１９】
前記照射光出射部が、前記撮像部の周辺部分に設けられていることを特徴とする請求項１から１８いずれか１項記載の硬性鏡装置。
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
正面側に開口する正面開口部を有する箱形の筐体と、
前記正面開口部を閉塞可能な前扉と、
前記前扉に設けられ、メダルが投入されるメダル投入口と、
前記メダル投入口から投入されたメダルを選別するメダルセレクターとを備えた遊技機であって、
前記メダルセレクターは、
前記前扉の裏面側に取り付けられるベース部材と、
前記ベース部材との間に前記メダル投入口から投入されたメダルを流下させるメダル通路が形成される密着位置と、前記ベース部材から離れる隔離位置とに、前記ベース部材に対して揺動変位可能に取り付けられたカバー部材と、
前記メダル通路の下流に到達したメダルを検知するメダルセンサーとを有し、
前記前扉の裏面側における前記ベース部材の近傍に、前記密着位置に変位した前記カバー部材の揺動を規制する受止位置と、前記カバー部材の揺動を可能にする退避位置とに回転変位可能な阻止部が設けられ、
前記カバー部材に、前記受止位置に変位した前記阻止部が当接する当接部が形成されることを特徴とする遊技機。
【請求項２】
前記カバー部材は、前記ベース部材の一方の端部に前記揺動変位可能に軸支されて取り付けられ、
前記カバー部材における前記一方と反対側の端部に、前記当接部が形成されており、
前記阻止部は、前記前扉の裏面側における前記ベース部材の前記一方と反対側の近傍に設けられ、前記受止位置に変位したときに前記当接部に当接する突出片を有して構成されることを特徴とする請求項１記載の遊技機。
【請求項３】
前記ベース部材における前記一方と反対側の端部に、前記密着位置に変位した前記カバー部材の側部を覆うリブが形成されることを特徴とする請求項１または２に記載の遊技機。
【手続補正２】
【補正対象書類名】明細書
【補正対象項目名】０００７
【補正方法】変更
【補正の内容】
【０００７】
前記課題を解決するために、本発明では、正面側に開口する正面開口部を有する箱形の筐体と、前記正面開口部を閉塞可能な前扉と、前記前扉に設けられ、メダルが投入されるメダル投入口と、前記メダル投入口から投入されたメダルを選別するメダルセレクターとを備えた遊技機において、前記メダルセレクターは、前記前扉の裏面側に取り付けられるベース部材と、前記ベース部材との間に前記メダル投入口から投入されたメダルを流下させるメダル通路が形成される密着位置と、前記ベース部材から離れる隔離位置とに、前記ベース部材に対して揺動変位可能に取り付けられたカバー部材と、前記メダル通路の下流に到達したメダルを検知するメダルセンサーとを有し、前記前扉の裏面側における前記ベース部材の近傍に、前記密着位置に変位した前記カバー部材の揺動を規制する受止位置と、前記カバー部材の揺動を可能にする退避位置とに回転変位可能な阻止部が設けられ、前記カバー部材に、前記受止位置に変位した前記阻止部が当接する当接部が形成される。
【手続補正３】
【補正対象書類名】明細書
【補正対象項目名】０００８
【補正方法】変更
【補正の内容】
【０００８】
前記発明の特徴に加え、前記カバー部材は、前記ベース部材の一方の端部に前記揺動変位可能に軸支されて取り付けられ、前記カバー部材における前記一方と反対側の端部に、前記当接部が形成されており、前記阻止部は、前記前扉の裏面側における前記ベース部材の前記一方と反対側の近傍に設けられ、前記受止位置に変位したときに前記当接部に当接する突出片を有して構成されてもよい。
また、前記ベース部材における前記一方と反対側の端部に、前記密着位置に変位した前記カバー部材の側部を覆うリブが形成されてもよい。
【手続補正４】
【補正対象書類名】明細書
【補正対象項目名】０００９
【補正方法】変更
【補正の内容】
【０００９】
本発明によれば、カバー部材は、密着位置から隔離位置へ向けて変位しても阻止部に当たり、隔離位置へ向けて変位できないようになっている。これにより、カバー部材が大きく開かれた状態でクレマンゴトが行われることを防止できる。
【手続補正５】
【補正対象書類名】明細書
【補正対象項目名】００１０
【補正方法】変更
【補正の内容】
【００１０】
また、阻止部が受止位置から退避位置へ変位すると、カバー部材は、阻止部に当たらずに密着位置から隔離位置へ変位できる。これにより、メダルセレクターのメンテナンスを行う際に、カバー部材を大きく開くことにより、作業を行い易くすることができる。
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
以下の：
（ａ）配列番号３６、配列番号３８、配列番号４２、配列番号４４、及び配列番号４６から選ばれる重鎖可変領域；並びに
（ｂ）配列番号７６のＫＶ１軽鎖可変領域；
を含む、ヒト化ＩＩ型抗−ＣＤ２０抗原結合分子。
【請求項２】
以下の：
（ａ）配列番号６２、配列番号６４、配列番号６６、配列番号６８、配列番号７０、及び配列番号７２から選ばれる重鎖可変領域；並びに
（ｂ）配列番号７６のＫＶ１軽鎖可変領域；
を含む、ヒト化ＩＩ型抗−ＣＤ２０抗原結合分子。
【請求項３】
請求項１又は２に記載の抗原結合分子の重鎖可変領域の特異性決定残基を有する重鎖可変領域を含むヒト化ＩＩ型抗−ＣＤ２０抗原結合分子であって、リツキシマブ（ｒｉｔｕｘｉｍａｂ登録商標）と同一の配列をもつＣ２Ｂ８キメラＩｇＧ１抗体を用いて同一条件下で対照に比較して、ＣＤ２０陽性ヒト細胞とともにインキュベートされるとき、より高いレベルのアポトーシスを誘導する、前記抗原結合分子。
【請求項４】
請求項１〜３のいずれか１項に記載の重鎖可変領域をコードする単離ポリヌクレオチド。
【請求項５】
請求項１〜３のいずれか１項に記載の重鎖可変領域に対して少なくとも８０％同一なアミノ酸配列を有する重鎖可変領域をコードする単離ポリヌクレオチド。
【請求項６】
請求項５に記載の核酸配列によりコードされる重鎖可変領域、及び配列番号７６のＫＶ１軽鎖可変領域を含むヒト化ＩＩ型抗−ＣＤ２０抗原結合分子であって、リツキシマブ（ｒｉｔｕｘｉｍａｂ登録商標）と同一の配列をもつＣ２Ｂ８キメラＩｇＧ１抗体を用いて同一条件下で対照に比較して、ＣＤ２０陽性ヒト細胞とともにインキュベートされるとき、より高いレベルのアポトーシスを誘導する、前記抗原結合分子。
【請求項７】
請求項４又は５に記載のポリヌクレオチドを含む発現ベクター。
【請求項８】
請求項７に記載の発現ベクターを含む単離宿主細胞。
【請求項９】
請求項８に記載の宿主細胞を、前記抗原結合分子の製造を許容する条件下で培養し、そしてその培養物から該抗原結合分子を回収することを含む、請求項１〜３おｙ日６のいずれか１項に記載のヒト化ＩＩ型抗−ＣＤ２０抗原結合分子の製造方法。
【請求項１０】
請求項８に記載の宿主細胞により製造されたヒト化ＩＩ型抗−ＣＤ２０抗原結合分子。
【請求項１１】
請求項１〜３、６、及び１０のいずれか１項に記載の又は請求項９に記載の方法により製造された抗原結合分子、及び医薬として許容される担体を含む医薬組成物。
【請求項１２】
Ｂ細胞障害を治療するための医薬の製造のための、請求項１〜３、６、及び１０のいずれか１項に記載の又は請求項９に記載の方法により製造された抗原結合分子の使用。
【請求項１３】
前記B細胞障害がＢ細胞リンパ腫である、請求項１２に記載の使用。
【請求項１４】
Ｂ細胞涸渇治療可能な障害を治療するための医薬の製造のための、請求項１〜３、６、及び１０のいずれか１項に記載の又は請求項９に記載の方法により製造された抗原結合分子の使用。
【請求項１５】
前記障害が血液学的悪性腫瘍又は自己免疫疾患である、請求項１４に記載の使用。
【請求項１６】
前記血液学的悪性腫瘍が、Ｂ細胞リンパ腫、非ホジキンリンパ種、又はＢ細胞慢性リンパ球白血病である、請求項１５に記載の使用。
【請求項１７】
前記自己免疫疾患が、リウマチ様関節炎又はろうそうである、請求項１５に記載の使用。
【請求項１８】
糖鎖工学的処理されたＦｃ領域を含む、請求項１〜３、６、及び１０のいずれか１項に記載の又は請求項９に記載の方法により製造された抗原結合分子。
【請求項１９】
前記抗原結合分子は、前記糖鎖工学的処理されたＦｃ領域に結合するフコシル化されていないオリゴ糖の割合が増加している、請求項１８に記載の抗原結合分子。
【請求項２０】
前記抗原結合分子は、前記糖鎖工学的処理されたＦｃ領域に結合するバイセクト型のフコシル化されていないオリゴ糖の割合が増加している、請求項１８に記載の抗原結合分子。
【請求項２１】
糖鎖工学的処理されていない抗原結合分子に比較してヒトＦｃガンマＲＩＩＩ受容体への有意に高いレベルの結合性を有する、請求項１８に記載の抗原結合分子。
【請求項２２】
糖鎖工学的処理されていない抗原結合分子に比較して有意に高いレベルのＡＤＣＣ活性を有する、請求項１８に記載の抗原結合分子。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
配列番号９、１０および１１の軽鎖ＣＤＲ、ならびに配列番号１２、１３および１４の重鎖ＣＤＲを含む、ヒトプログラムされたデスレセプター１（ＰＤ−１）に結合する単離された抗体または抗体断片であって、該抗体または抗体断片は、ヒトＰＤ−Ｌ１およびヒトＰＤ−Ｌ２のヒトＰＤ−１への結合を遮断するものである、抗体または抗体断片。
【請求項２】
ａ．配列番号５もしくはその変異体を含む重鎖可変領域であって、該変異体は、１、２または３つの保存的に改変されたアミノ酸置換を含む、重鎖可変領域；および
ｂ．配列番号６もしくはその変異体を含む軽鎖可変領域であって、該変異体は、１、２または３つの保存的に改変されたアミノ酸置換を含む、軽鎖可変領域
を含む、請求項１に記載の抗体または抗体断片。
【請求項３】
ａ．配列番号５を含む重鎖可変領域；および
ｂ．配列番号６を含む軽鎖可変領域
を含む、ヒトＰＤ−１に結合する抗体または抗体断片。
【請求項４】
前記重鎖定常領域がγ４もしくはγ１ヒト重鎖定常領域をさらに含む、請求項１〜３のいずれか１項に記載の抗体。
【請求項５】
前記抗体または抗体断片が
ａ．キメラ抗体もしくはその断片、
ｂ．ヒト抗体もしくはその断片、または
ｃ．ヒト化抗体もしくはその断片
である、請求項１〜４のいずれか１項に記載の抗体または抗体断片。
【請求項６】
前記抗体断片が、Ｆａｂ、Ｆａｂ’、Ｆａｂ’−ＳＨ、Ｆｖ、ｓｃＦｖ、Ｆ（ａｂ’）２およびダイアボディーからなる群から選択される、請求項１〜５のいずれか１項に記載の抗体断片。
【請求項７】
前記抗体または抗体断片がＴ細胞の活性化を増大させるものである、請求項１〜６のいずれか１項に記載の抗体または抗体断片。
【請求項８】
請求項１〜７のいずれか１項に記載の抗体または抗体断片をコードする単離されたポリヌクレオチド。
【請求項９】
前記抗体が配列番号５を含む重鎖および配列番号６を含む軽鎖を含む、請求項８に記載の単離されたポリヌクレオチド。
【請求項１０】
さらに配列番号１および配列番号２を含む、請求項９に記載の単離されたポリヌクレオチド。
【請求項１１】
請求項８〜１０のいずれか１項に記載の単離されたポリヌクレオチドを含む発現ベクター。
【請求項１２】
請求項１１に記載の発現ベクターを含む宿主細胞。
【請求項１３】
ａ．前記核酸配列が発現される条件下で、培地中で請求項１２に記載の宿主細胞を培養し、それにより前記軽鎖および前記重鎖可変領域を含むポリペプチドを産生するステップと、
ｂ．該宿主細胞または該培地から該ポリペプチドを回収するステップと
を含む、請求項１〜７のいずれか１項に記載の抗体または抗体断片を産生する方法。
【請求項１４】
薬学的に許容される担体または希釈剤と組み合わせて、請求項１〜７のいずれか１項に記載の抗体もしくは抗体断片、または請求項１３に記載の方法により入手可能な抗体もしくは抗体断片を含む組成物。
【請求項１５】
請求項１〜７のいずれか１項に記載の抗体もしくは抗体断片、または請求項１３に記載の方法により入手可能な抗体もしくは抗体断片の、医薬の調製のための使用であって、該医薬は、癌または感染症または感染性疾患の処置のためのものである、使用。
【請求項１６】
前記医薬は癌の処置のためのものである、請求項１５に記載の使用。
【手続補正２】
【補正対象書類名】明細書
【補正対象項目名】０１７１
【補正方法】変更
【補正の内容】
【０１７１】
【表４−１】
2012254092.tif 000001
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
哺乳動物試料における炎症性免疫反応の存在の検出方法であって、（ａ）哺乳動物から採取した組織細胞の試験試料中、及び（ｂ）同じ細胞型の既知の正常組織細胞のコントロール試料中において、配列番号：１８６０に示すアミノ酸配列を含むポリペプチドをコードする遺伝子の発現レベルを検出することを含み、コントロール試料と比較した試験試料中における前記遺伝子の異なる発現が、試験組織細胞が採取された哺乳動物における炎症性免疫反応の存在を示す、方法。
【請求項２】
炎症性免疫反応がメモリーＴ細胞媒介性免疫反応である、請求項１に記載の方法。
【請求項３】
メモリーＴ細胞媒介性免疫反応がＣＤ４５ＲＯ Ｔ細胞媒介性免疫反応である、請求項２に記載の方法。
【請求項４】
哺乳動物試料における免疫関連疾患の存在の検出方法であって、（ａ）哺乳動物から採取した組織細胞の試験試料中、及び（ｂ）同じ細胞型の既知の正常組織細胞のコントロール試料中において、配列番号：１８６０に示すアミノ酸配列を含むポリペプチドをコードする遺伝子の発現レベルを検出することを含み、コントロール試料と比較した試験試料中における前記遺伝子の異なる発現が、試験組織細胞が採取された哺乳動物における免疫関連疾患の存在を示す、方法。
【請求項５】
免疫関連疾患がメモリーＴ細胞媒介性免疫疾患である、請求項４に記載の方法。
【請求項６】
メモリーＴ細胞媒介性免疫疾患がＣＤ４５ＲＯ Ｔ細胞媒介性免疫疾患である、請求項５に記載の方法。
【請求項７】
核酸レベルが、配列番号１８６０に示すアミノ酸配列をコードする核酸に特異的な一又は複数のプローブに試験及び正常な生体試料から採取した核酸をハイブリダイズすることによって決定される、請求項１又は４に記載の方法。
【請求項８】
ハイブリダイゼーションがストリンジェントな条件下で実施される、請求項７に記載の方法。
【請求項９】
前記ストリンジェントな条件が、４２℃において５０％ホルムアミド、５×ＳＳＣ（０．７５Ｍ ＮａＣｌ、０．０７５Ｍ クエン酸ナトリウム）、５０ｍＭのリン酸ナトリウム（ｐＨ６．８）、０．１％のピロリン酸ナトリウム、５×デンハード液、超音波処理サケ精子ＤＮＡ（５０μｇ／ｍｌ）、０．１％ＳＤＳ、及び１０％のデキストラン硫酸を用い、０．２×ＳＳＣ及び５０％ホルムアミド中での４２℃での洗浄と５５℃での洗浄の後、５５℃においてＥＤＴＡを含む０．１×ＳＳＣを含む洗浄を行う、請求項８に記載の方法。
【請求項１０】
試験及び正常な生体試料から採取した核酸がｍＲＮＡである、請求項１又は４に記載の方法。
【請求項１１】
試験及び正常な生体試料から採取した核酸がマイクロアレイ上に置かれている、請求項１０に記載の方法。
【請求項１２】
哺乳動物試料における免疫関連疾患の存在の検出方法であって、正常な生体試料と比較して試験生体試料中における配列番号：１８６０に示すアミノ酸配列を含むポリペプチドの発現レベルを測定することを含み、試験生体試料中における前記ポリペプチドの異なる発現が、試験組織細胞が採取された哺乳動物における免疫関連疾患の存在を示す、方法。
【請求項１３】
哺乳動物試料における炎症性免疫反応の存在の検出方法であって、正常な生体試料と比較して試験生体試料中における配列番号：１８６０に示すアミノ酸配列を含むポリペプチドの発現レベルを測定することを含み、試験生体試料中における前記ポリペプチドの異なる発現が、試験組織細胞が採取された哺乳動物における炎症性免疫反応の存在を示す、方法。
【請求項１４】
異なる発現が、配列番号：１８６０に示すアミノ酸配列であるポリペプチドに特異的に結合する抗体により検出される、請求項１２又は１３に記載の方法。
【請求項１５】
前記抗体がモノクローナル抗体である、請求項１４に記載の方法。
【請求項１６】
前記抗体がヒト化抗体である、請求項１４に記載の方法。
【請求項１７】
前記抗体が抗体断片である、請求項１４に記載の方法。
【請求項１８】
前記抗体が標識されている、請求項１４に記載の方法。
【請求項１９】
免疫関連疾患がメモリーＴ細胞媒介性免疫疾患である、請求項１２に記載の方法。
【請求項２０】
メモリーＴ細胞媒介性免疫疾患がＣＤ４５ＲＯ Ｔ細胞媒介性免疫疾患である、請求項１９に記載の方法。
【請求項２１】
炎症性免疫反応がメモリーＴ細胞媒介性免疫反応である、請求項１３に記載の方法。
【請求項２２】
メモリーＴ細胞媒介性免疫反応がＣＤ４５ＲＯ Ｔ細胞媒介性免疫反応である、請求項２１に記載の方法。
【請求項２３】
免疫関連疾患が、全身性エリテマトーデス、リウマチ様関節炎、若年性慢性関節炎、脊椎関節症、全身性硬化症（強皮症）、特発性炎症ミオパシー（皮膚筋炎、多発性筋炎）、シェーグレン症候群、全身性血管炎、サルコイドーシス、自己免疫性溶血性貧血（免疫再生不良性貧血、発作性夜間血色素尿）、自己免疫性血小板減少（特発性血小板減少性紫斑病、免疫仲介血小板減少）、甲状腺炎（グレーブス疾患、ハシモト甲状腺炎、若年性リンパ球性甲状腺炎、萎縮性甲状腺炎）、真性糖尿病、免疫仲介腎疾患（糸球体腎炎、尿細管間質性腎炎）、中枢及び末梢神経系の脱髄疾患、例えば多発性硬化症、特発性脱随性多発神経障害、又はギラン-バレー症候群、及び慢性炎症脱随性多発神経障害、肝胆道疾患、例えば感染性肝炎（Ａ型、Ｂ型、Ｃ型、Ｄ型、Ｅ型肝炎及び他の非肝親和性(nonhepatotropic)ウイルス）、自己免疫慢性活動性肝炎、原発性胆汁性肝硬変症、肉芽腫性肝炎、及び硬化性胆管炎、炎症性腸疾患（潰瘍性大腸炎；クローン病）、グルテン過敏性腸疾患、及びウィップル病、水疱性皮膚疾患、多形性紅斑及び接触性皮膚炎を含む自己免疫又は免疫媒介皮膚疾患、乾癬、アレルギー性疾患、例えば喘息、アレルギー性鼻炎、アトピー性皮膚炎、食物過敏症及び蕁麻疹、肺の免疫疾患、例えば好球性肺炎、特発性肺線維症及び過敏性肺炎、拒絶反応及び移植片対宿主疾患を含む移植関連疾患、または、ウイルス性疾患、例えばＡＩＤＳ（ＨＩＶ感染）、Ａ型、Ｂ型、Ｃ型、Ｄ型及びＥ型肝炎、ヘルペス等、細菌感染、真菌感染、原生動物感染及び寄生虫感染を含む感染症である、請求項４又は１２に記載の方法。
【請求項２４】
哺乳動物試料におけるメモリーＴ細胞活性化の検出方法であって、（ａ）哺乳動物から採取した組織細胞の試験試料中、及び（ｂ）同じ細胞型の既知の正常組織細胞のコントロール試料中において、配列番号：１８６０に示すアミノ酸配列を含むポリペプチドをコードする核酸の発現レベルを検出することを含み、コントロール試料と比較した試験試料中における該核酸の異なる発現が、試験組織細胞が採取された哺乳動物での活性化されたメモリーＴ細胞の存在を示す、方法。
【請求項２５】
メモリーＴ細胞がＣＤ４５ＲＯ細胞表面マーカーを発現する、請求項２４に記載の方法。
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
ナノ−ＺｎＯ触媒を含む反応器に混合アセトンおよび混合水素の流を添加して、生成物を作るためのアセトンの低圧一段階気相縮合を行なうステップと、
前記反応器に入る前に、前記混合アセトンおよび混合水素に圧力を付与するステップと、
前記反応器から回収されたアセトンをリサイクルして、リサイクルされたアセトンとして再利用されるように前記反応器に戻すステップと、
前記混合アセトンを前記反応器に再び投入する前に、熱交換器で前記混合アセトンを加熱するステップとを備える、方法。
【請求項２】
乾燥器を用いて前記リサイクルされたアセトン中の水分を除去し、一連の蒸留塔を用いて反応器排出液を分留して、アセトンおよび水素の縮合の副生成物を回収するステップをさらに備える、請求項１に記載の方法。
【請求項３】
副生成物としての分留物は、メチルイソブチルケトン、ジイソブチルケトン、メシチルオキシド、メシチレン、イソプロピルアルコールおよび他の生成物のうちの少なくとも１つである、請求項１に記載の方法。
【請求項４】
前記触媒は、ナノ結晶亜クロム酸亜鉛担持ナノパラジウム（ナノ−Ｐｄ／ナノ−ＺｎＣｒ２Ｏ４）である、請求項１に記載の方法。
【請求項５】
温度は、２００〜３５０℃である、請求項１に記載の方法。
【請求項６】
圧力は、大気圧および低圧のうちの少なくとも１つである、請求項１に記載の方法。
【請求項７】
ナノ−ＺｎＯ触媒を用いてアセトンおよび水素から生成物を生成するステップと、
反応器排出液の熱を回収して、リサイクルされたアセトン流および新鮮な供給アセトン流の温度を上げるステップと、
前記新鮮なアセトン流および前記リサイクルされたアセトン流を混合物として熱交換器に通して、混合アセトンが反応器に入る前に前記混合アセトンの温度を効率的に管理するステップと、
大気圧および低圧のうちの少なくとも１つを有する圧力弁に混合供給アセトン（混合アセトン）を通すことによって、前記混合供給アセトンの圧力を調整するステップとを備える、一段階気相プロセス。
【請求項８】
熱交換器において、リサイクルされた水素および新鮮な水素の混合物を予熱し、前記反応器に入る前に混合水素の圧力を大気圧および低圧のうちの少なくとも１つに調整するステップをさらに備える、請求項７に記載の一段階気相プロセス。
【請求項９】
前記反応器排出液を第２の熱交換器に送る前に、圧縮器において前記反応器排出液を低圧に圧縮するステップと、
前記反応器排出液を圧縮および冷却することによって、ドラムでの水素の効率的な分離を可能にするステップとをさらに備える、請求項８に記載の一段階気相プロセス。
【請求項１０】
前記触媒は、ナノ結晶亜クロム酸亜鉛担持ナノパラジウム（ナノ−Ｐｄ／ナノ−ＺｎＣｒ２Ｏ４）である、請求項７に記載の一段階気相プロセス。
【請求項１１】
前記生成物は、メチルイソブチルケトン、ジイソブチルケトン、メシチルオキシド、メシチレンおよびイソプロピルアルコールのうちの少なくとも１つである、請求項７に記載の一段階気相プロセス。
【請求項１２】
温度は、２００〜３５０℃である、請求項７に記載の一段階気相プロセス。
【手続補正書】
【提出日】平成25年1月18日(2013.1.18)
【手続補正１】
【補正対象書類名】明細書
【補正対象項目名】００１３
【補正方法】変更
【補正の内容】
【００１３】
本発明の（Ａ）成分であるメドウフォーム種子油のラクトン誘導体は、メドウフォーム種子由来の脂肪酸から得られるラクトン誘導体である。例えば、有機合成法あるいは植物（例えばメドウフォームやマメ科植物、ゴマ科植物、ホホバ科植物、モクセイ科オリーブ属植物、イネ科トウモロコシ属植物等の実や種子）からの抽出精製法等の既知の製造方法あるいはそれらの組み合わせにより得られる。このような誘導体としては市販品ではファンニング社製のメドウラクトン（登録商標）、一丸ファルコス社製のメドウラクトンＶＥ（登録商標）などが適当である。具体例としては下記一般式（１）で表される化合物である。
【手続補正２】
【補正対象書類名】明細書
【補正対象項目名】００３７
【補正方法】変更
【補正の内容】
【００３７】
【表１】
2012254946.tif 000001
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
複数の錠剤をそれぞれ錠剤収容部に封入した錠剤シートから錠剤を取り出して供給する錠剤供給装置であって、
１または複数の錠剤取出しユニットと、前記錠剤取出しユニットで取り出された錠剤を供給する供給ユニットとを備え、
前記錠剤取出しユニットが、１または複数の錠剤シートを収容できる錠剤シート収容部と、長さ方向に前記錠剤シートを搬送する搬送機構と、前記搬送機構により搬送された前記錠剤シートが載置される載置台と、前記載置台上の錠剤シートの前記錠剤収容部を押圧して錠剤を取り出す押出し機構と、を有し、
前記載置台は、前記押出し機構により取り出された錠剤を前記供給ユニットに落とし込む排出口を有し、
前記押出し機構が、前記錠剤収容部を押圧する錠剤押圧部と、この錠剤押圧部を前記錠剤収容部に接近する方向に移動させる駆動機構とを有し、
前記錠剤押圧部は、前記錠剤シートの幅方向に複数列に並んだ錠剤収容部をそれぞれ押圧する複数の押圧体とを備え、
前記複数の押圧体が独立して前記押圧動作が可能であることを特徴とする錠剤供給装置。
【請求項２】
前記駆動機構による昇降動作のタイミングを任意に設定することで前記複数の押圧体が独立して押圧動作が可能であることを特徴とする請求項１記載の錠剤供給装置。
【請求項３】
前記錠剤押圧部はさらに、前記錠剤収容部の中央部分を押圧する内側押圧体と、前記錠剤収容部の中央部分より外側の部分を押圧する外側押圧体とを備え、
前記内側押圧体と前記外側押圧体とは独立して前記押圧動作が可能であることを特徴とする請求項１または２記載の錠剤供給装置。
【請求項４】
請求項１〜３のうちいずれか１項記載の錠剤供給装置と、前記錠剤供給装置から供給された錠剤を包装する包装装置とを備えていることを特徴とする除包システム。
【請求項５】
複数の錠剤をそれぞれ錠剤収容部に封入した錠剤シートから錠剤を取り出す錠剤取出しユニットであって、
１または複数の錠剤シートを収容できる錠剤シート収容部と、長さ方向に前記錠剤シートを搬送する搬送機構と、前記搬送機構により搬送された前記錠剤シートが載置される載置台と、前記載置台上の錠剤シートの前記錠剤収容部を押圧して錠剤を取り出す押出し機構と、を有し、
前記載置台は、前記押出し機構により取り出された錠剤を前記供給ユニットに落とし込む排出口を有し、
前記押出し機構が、前記錠剤収容部を押圧する錠剤押圧部と、この錠剤押圧部を前記錠剤収容部に接近する方向に移動させる駆動機構とを有し、
前記錠剤押圧部は、前記錠剤シートの幅方向に複数列に並んだ錠剤収容部をそれぞれ押圧する複数の押圧体とを備え、
前記複数の押圧体が独立して前記押圧動作が可能であることを特徴とする錠剤取出しユニット。
【手続補正２】
【補正対象書類名】明細書
【補正対象項目名】発明の名称
【補正方法】変更
【補正の内容】
【発明の名称】錠剤供給装置および除包システムならびに錠剤取出しユニット
【手続補正３】
【補正対象書類名】明細書
【補正対象項目名】０００１
【補正方法】変更
【補正の内容】
【０００１】
本発明は、病院や調剤薬局などで用いられる錠剤供給装置に関し、特に、複数の錠剤をそれぞれ錠剤収容部に封入した錠剤シートから錠剤を取り出して供給する錠剤供給装置および除包システムならびに錠剤取出しユニットに関する。
【手続補正４】
【補正対象書類名】明細書
【補正対象項目名】０００４
【補正方法】変更
【補正の内容】
【０００４】
しかしながら、上記錠剤供給装置では、錠剤シートを使用する場合でも、錠剤を手作業で取り出して上記タブレットケースに入れる作業が必要となり、作業に手間がかかる。
錠剤シートから錠剤を取り出す装置もあるが（例えば特開２００４−１３１１４９号公報を参照）、取出装置を使用する場合でも、取り出した錠剤は上記タブレットケースに収容して用いられるため、錠剤収容作業や変質予防措置（湿気除去など）が必要であり、作業性の改善が要望されていた。
本発明は、上記事情に鑑みてなされたもので、作業性に優れ、かつ錠剤の変質を防ぐことが可能な錠剤供給装置および除包システムならびに錠剤取出しユニットの提供を目的としている。
【手続補正５】
【補正対象書類名】明細書
【補正対象項目名】０００５
【補正方法】変更
【補正の内容】
【０００５】
上記課題を解決するために、本発明では以下の構成を提供する。
本発明は、複数の錠剤をそれぞれ錠剤収容部に封入した錠剤シートから錠剤を取り出して供給する錠剤供給装置であって、１または複数の錠剤取出しユニットと、前記錠剤取出しユニットで取り出された錠剤を供給する供給ユニットとを備え、前記錠剤取出しユニットが、１または複数の錠剤シートを収容できる錠剤シート収容部と、長さ方向に前記錠剤シートを搬送する搬送機構と、前記搬送機構により搬送された前記錠剤シートが載置される載置台と、前記載置台上の錠剤シートの前記錠剤収容部を押圧して錠剤を取り出す押出し機構と、を有し、前記載置台は、前記押出し機構により取り出された錠剤を前記供給ユニットに落とし込む排出口を有し、前記押出し機構が、前記錠剤収容部を押圧する錠剤押圧部と、この錠剤押圧部を前記錠剤収容部に接近する方向に移動させる駆動機構とを有し、前記錠剤押圧部は、前記錠剤シートの幅方向に複数列に並んだ錠剤収容部をそれぞれ押圧する複数の押圧体とを備え、前記複数の押圧体が独立して前記押圧動作が可能である錠剤供給装置を提供する。
本発明の錠剤供給装置は、前記駆動機構による昇降動作のタイミングを任意に設定することで前記複数の押圧体が独立して押圧動作が可能であることが好ましい。
本発明の錠剤供給装置は、前記錠剤押圧部がさらに、前記錠剤収容部の中央部分を押圧する内側押圧体と、前記錠剤収容部の中央部分より外側の部分を押圧する外側押圧体とを備え、前記内側押圧体と前記外側押圧体とは独立して前記押圧動作が可能であることが好ましい。
本発明は、前記錠剤供給装置と、前記錠剤供給装置から供給された錠剤を包装する包装装置とを備えている除包システムを提供する。
本発明は、複数の錠剤をそれぞれ錠剤収容部に封入した錠剤シートから錠剤を取り出す錠剤取出しユニットであって、１または複数の錠剤シートを収容できる錠剤シート収容部と、長さ方向に前記錠剤シートを搬送する搬送機構と、前記搬送機構により搬送された前記錠剤シートが載置される載置台と、前記載置台上の錠剤シートの前記錠剤収容部を押圧して錠剤を取り出す押出し機構と、を有し、前記載置台は、前記押出し機構により取り出された錠剤を前記供給ユニットに落とし込む排出口を有し、前記押出し機構が、前記錠剤収容部を押圧する錠剤押圧部と、この錠剤押圧部を前記錠剤収容部に接近する方向に移動させる駆動機構とを有し、前記錠剤押圧部は、前記錠剤シートの幅方向に複数列に並んだ錠剤収容部をそれぞれ押圧する複数の押圧体とを備え、前記複数の押圧体が独立して前記押圧動作が可能である錠剤取出しユニットを提供する。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
遊技の基本進行制御を司る主制御部と、遊技の進行に伴い前記主制御部から出力されるコマンドを受けて所定の演出制御を行う副制御部と、を有する遊技機において、
前記主制御部は、
所定の始動条件が成立すると、大当りであるか否かに関する当否判定を行う当否判定手段と、
前記当否判定の結果に基づき、大当り用変動パターンまたは非大当り用変動パターンを選択する変動パターン選択手段と、
前記変動パターン選択手段によって選択された変動パターンに基づいて特別図柄表示部にて特別図柄の変動表示を行い、該変動表示している特別図柄を前記当否判定の結果に対応する態様で停止表示する特別図柄表示手段と、
前記変動パターン選択手段によって選択された変動パターンに対応するコマンドを、前記副制御部に送信するコマンド送信手段と、
前記特別図柄が前記大当りに対応する態様で停止表示することで、閉状態の大入賞口を開状態にする大当り遊技を実行する大当り遊技実行手段と、
前記当否判定にて前記大当りであると判定される大当り確率を、通常確率または前記通常確率よりも高い高確率に設定する確率設定手段とを備え、
前記副制御部は、
前記特別図柄表示部と異なる演出表示部にて、第１状態表示または第２状態表示を実行する状態表示実行手段を備え、
前記第２状態表示が実行されるときは、前記第１状態表示が実行されるときよりも、前記大当り確率が前記高確率に設定されている可能性が高いものであって、
前記状態表示実行手段は、
前記第１状態表示を実行しているときに前記非大当り用変動パターンに対応するコマンドを受けると、前記第２状態表示を実行可能であり、
前記非大当り用変動パターンに対応するコマンドを受けたときの前記大当り確率によって、前記第２状態表示を実行する確率が異なる
ことを特徴とする遊技機。
【請求項２】
前記状態表示実行手段は、
前記非大当り用変動パターンに対応するコマンドを受けたときに前記大当り確率が前記高確率に設定されている場合には、前記大当り確率が前記通常確率に設定されている場合よりも高い確率で前記第２状態表示を実行することを特徴とする請求項１に記載の遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技の基本進行制御を司る主制御部と、遊技の進行に伴い前記主制御部から出力されるコマンドを受けて所定の演出制御を行う副制御部と、を有する遊技機において、
前記主制御部は、
所定の始動条件が成立すると、大当りであるか否かに関する当否判定を行う当否判定手段と、
前記当否判定の結果に基づき、大当り用変動パターンまたは非大当り用変動パターンを選択する変動パターン選択手段と、
前記変動パターン選択手段によって選択された変動パターンに基づいて特別図柄表示部にて特別図柄の変動表示を行い、該変動表示している特別図柄を前記当否判定の結果に対応する態様で停止表示する特別図柄表示手段と、
前記変動パターン選択手段によって選択された変動パターンに対応するコマンドを、前記副制御部に送信するコマンド送信手段と、
前記特別図柄が前記大当りに対応する態様で停止表示することで、閉状態の大入賞口を開状態にする大当り遊技を実行する大当り遊技実行手段と、
前記当否判定にて前記大当りであると判定される大当り確率を、通常確率または前記通常確率よりも高い高確率に設定する確率設定手段とを備え、
前記副制御部は、
前記特別図柄表示部と異なる演出表示部にて、第１状態表示または第２状態表示を実行する状態表示実行手段を備え、
前記第２状態表示が実行されるときは、前記第１状態表示が実行されるときよりも、前記大当り確率が前記高確率に設定されている可能性が高いものであって、
前記状態表示実行手段は、
前記第１状態表示を実行しているときに前記非大当り用変動パターンに対応するコマンドを受けると、前記第２状態表示を実行可能であり、
前記非大当り用変動パターンに対応するコマンドを受けたときの前記大当り確率によって、前記第２状態表示を実行する確率が異なることを特徴とする。
また、前記状態表示実行手段は、前記非大当り用変動パターンに対応するコマンドを受けたときに前記大当り確率が前記高確率に設定されている場合には、前記大当り確率が前記通常確率に設定されている場合よりも高い確率で前記第２状態表示を実行することを特徴とする。
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされ、ゲームの試験を行う際に接続される試験装置からの試験用信号の入力に基づき自動的にゲームを行うことが可能なスロットマシンであって、
遊技の制御を行う遊技制御手段と、
前記遊技制御手段から送信された制御情報に基づいて演出の制御を行う演出制御手段と、
付与された遊技用価値の数を示す付与遊技用価値信号を前記試験装置に対して出力するための制御を行う付与遊技用価値信号出力制御手段と、
導出操作を示す試験用導出操作信号が検出されたときに該導出操作に対応する前記可変表示領域の表示結果を導出させる制御を行う導出制御手段と、
前記試験用導出操作信号の入力の態様を指示する推奨導出操作態様信号を前記試験装置に対して出力するための制御を行う推奨導出操作態様信号出力制御手段と、
複数種類の遊技状態のうちから少なくともいずれか１つの遊技状態に制御する遊技状態制御手段と、
を備え、
前記複数種類の遊技状態のうちの特定遊技状態では、前記試験用導出操作信号の入力の態様が特定の導出操作手順での導出操作を示すときに、該特定の導出操作手順とは異なる導出操作手順での導出操作を示すときよりも遊技者にとって有利となる制御が行われ、
前記推奨導出操作態様信号出力制御手段は、
前記特定遊技状態において前記特定の導出操作手順での導出操作を示す態様の前記試験用導出操作信号の入力を指示する推奨導出操作態様信号を、前記試験装置に対して出力するための制御を行い、
前記複数の可変表示領域のそれぞれは、ステッピングモータにて回動するリールにて構成されており、
前記スロットマシンは、前記ステッピングモータの現在のステップ数である該ステッピングモータの基準位置からの経過ステップ数が特定可能なステップ数特定信号として該ステッピングモータの基準位置検出信号と該ステッピングモータの駆動信号とを前記試験装置に対して出力するための制御を行うステップ数特定信号出力制御手段を備え、
前記推奨導出操作態様信号出力制御手段は、前記推奨導出操作態様信号として、表示結果を導出させる前記複数の可変表示領域の導出順序を指定するための可変表示装置指定信号と、当該複数の可変表示領域それぞれの前記試験用導出操作信号の出力タイミングに対応する前記ステッピングモータの前記基準位置からの経過ステップ数を特定可能な導出操作実行位置信号と、を出力するための制御を行う
ことを特徴とするスロットマシン。
【請求項２】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされ、ゲームの試験を行う際に接続される試験装置からの試験用信号の入力に基づき自動的にゲームを行うことが可能なスロットマシンであって、
遊技の制御を行う遊技制御手段と、
前記遊技制御手段から送信された制御情報に基づいて演出の制御を行う演出制御手段と、
付与された遊技用価値の数を示す付与遊技用価値信号を前記試験装置に対して出力するための制御を行う付与遊技用価値信号出力制御手段と、
少なくともいずれか１つの可変表示領域の表示結果が導出される前に、入賞の発生を許容するか否かを決定する事前決定手段と、
前記事前決定手段により特定の決定がなされたときに、該特定の決定がなされた旨を特定可能な決定種類報知を行う決定種類報知手段と、
導出操作を示す試験用導出操作信号が検出されたときに該導出操作に対応する前記可変表示領域の表示結果を導出させる制御を行う導出制御手段と、
前記試験用導出操作信号の入力の態様を指示する推奨導出操作態様信号を前記試験装置に対して出力するための制御を行う推奨導出操作態様信号出力制御手段と、
を備え、
前記導出制御手段は、前記事前決定手段により前記特定の決定がなされ、該決定に対応する前記特定の導出操作手順での導出操作を示す態様で前記試験用導出操作信号が入力されたときに前記複数の可変表示領域の表示結果の組み合わせとして特定種類の表示結果の組み合わせを導出させる制御を行い、該決定に対応する前記特定の導出操作手順とは異なる導出操作手順での導出操作を示す態様で試験用導出操作信号が入力されたときに前記複数の可変表示領域の表示結果の組み合わせとして前記特定種類の表示結果の組み合わせとは異なる種類の表示結果の組み合わせを導出させる制御を行う特定導出制御手段を含み、
前記特定種類の表示結果の組み合わせが導出されたときに、前記特定種類の表示結果の組み合わせとは異なる種類の表示結果の組み合わせが導出されたときよりも遊技者にとって有利となる制御が行われ、
前記推奨導出操作態様信号出力制御手段は、前記事前決定手段により前記特定の決定がなされ前記決定種類報知が行われたときに、該決定に対応する前記特定の導出操作手順での導出操作を示す態様の試験用導出操作信号の入力を指示する推奨導出操作態様信号を前記試験装置に対して出力するための制御を行い、
前記複数の可変表示領域のそれぞれは、ステッピングモータにて回動するリールにて構成されており、
前記スロットマシンは、前記ステッピングモータの現在のステップ数である該ステッピングモータの基準位置からの経過ステップ数が特定可能なステップ数特定信号として該ステッピングモータの基準位置検出信号と該ステッピングモータの駆動信号とを前記試験装置に対して出力するための制御を行うステップ数特定信号出力制御手段を備え、
前記推奨導出操作態様信号出力制御手段は、前記推奨導出操作態様信号として、表示結果を導出させる前記複数の可変表示領域の導出順序を指定するための可変表示装置指定信号と、当該複数の可変表示領域それぞれの前記試験用導出操作信号の出力タイミングに対応する前記ステッピングモータの前記基準位置からの経過ステップ数を特定可能な導出操作実行位置信号と、を出力するための制御を行う
ことを特徴とするスロットマシン。